(57)【要約】      （修正有）【課題】容器内で、エキスが含まれる蒸気を凝結させるとともに該凝結させた凝結エキスを収集するエキス抽出器であって、効率の良い抽出が可能なエキス抽出器を提供する。【解決手段】対象物から抽出されたエキスを含有する蒸気が内部に供給される容器６を備え、容器６内に導入された上記蒸気が接触して凝結する凝結面６ａを、該容器６の内壁面の少なくとも一部に形成し、該凝結面６ａで凝結されて上記内壁面を沿って流下する凝結エキス５を受け止めて収集する収集部１８を容器６内に設けたエキス抽出器であって、前記容器６外から該容器６内に上記蒸気を導入させる導入部１３を該容器６自体に一体的に形成し、該導入部１３の少なくとも容器６内寄り部位を筒状に成形する。【選択図】図２
0003184162.tif 000002
【実用新案登録請求の範囲】
【請求項１】
対象物（３）から抽出されたエキスを含有する蒸気が内部に供給される容器（６）を備え、容器（６）内に導入された上記蒸気が接触して凝結する凝結面（６ａ）を、該容器（６）の内壁面の少なくとも一部に形成し、該凝結面（６ａ）で凝結されて上記内壁面を沿って流下する凝結エキス（５）を受け止めて収集する収集部（１８）を容器（６）内に設けたエキス抽出器であって、前記容器（６）外から該容器（６）内に上記蒸気を導入させる導入部（１３）を該容器（６）自体に一体的に形成し、該導入部（１３）の少なくとも容器（６）内寄り部位を筒状に成形したエキス抽出器。
【請求項２】
前記容器（６）は、凹状の受皿（７）と、受皿（７）の上端部に載置されて該受皿（７）の上方側を覆う凸状の上蓋（８）とを含み、上蓋（８）の少なくとも天井面側に前記凝結面（６ａ）を形成し、前記導入部（１３）の筒状部分（１７）を上下方向に形成し、該導入部（１３）を受皿（７）の底部（１１）の中央側に一体的に設け、該導入部（１３）の外周面と受皿（７）の内周面とに囲繞されたスペースを収集部（１８）とした請求項１に記載のエキス抽出器。
【請求項３】
導入部（１３）の下端部の径に対して上端部の径を小さく設定した請求項２に記載のエキス抽出器。
【請求項４】
環状の平断面を有する上蓋（８）下端部には、径方向内側に向かって延設された延設部（２２）が、全周に亘ってリング状に一体的に形成され、該延設部（２２）の延出端部を、上記導入部（１３）の筒状部分（１７）よりも径方向外側に位置させてなる請求項２又は３の何れかに記載のエキス抽出器。
【請求項５】
延設部（２２）の延出端部を下方に曲げ形成することにより、延出端部側の凝結エキス（５）の落下を案内するガイド部（２２ａ）を形成した請求項４に記載のエキス抽出器。
【請求項６】
前記上蓋（８）の天井部（２１）に、容器（６）の内外に連通させる貫通孔（２１ａ）を穿設し、該貫通孔（２１ａ）は、上記蒸気が導入可能であるとともに、下方側から導入された該蒸気を排出させることが可能なように構成されている請求項２乃至６の何れかに記載のエキス抽出器。
【請求項７】
前記貫通孔（２１ａ）を閉塞するキャップ（２７）を着脱自在に装着した請求項６に記載のエキス抽留器。
【請求項８】
受皿（７）の上端部の内周径に対して、上蓋（８）の下端部の内周径を小さく設定するとともに、該下端部の外周径を大きく設定した請求項２乃至７の何れかに記載のエキス抽出器。
【請求項９】
凝結面（６ａ）を凹凸形成することにより、凝結面（６ａ）の面積を拡大させてなる請求項１乃至８の何れかに記載のエキス抽出器。
【請求項１０】
容器（６）の壁部を凹凸形成することにより、前記凝結面（６ａ）を凹凸形成するとともに、該容器（６）の外壁面を凹凸形成し、該凹凸形成された外壁面を放熱面（６ｂ）とし、該放熱面（６ｂ）によって空気との接触面積を増加させる放熱部（２４）を構成した請求項９に記載のエキス抽出器。
【考案の詳細な説明】
【技術分野】
【０００１】
この考案は、エキスが含まれる蒸気を凝結させるエキス抽出器に関する。
【背景技術】
【０００２】
対象物から抽出されたエキスが含まれる蒸気が内部に供給される容器を備え、容器内に導入された上記蒸気が接触して凝結する凝結面を、該容器の内壁面の少なくとも一部に形成し、該凝結面で凝結されて上記内壁面を沿って流下する凝結エキスを受け止めて収集する収集部を容器内に設けたエキス抽出器が公知になっている（例えば、特許文献１参照。）。
【先行技術文献】
【特許文献】
【０００３】
【特許文献１】実用新案登録第３１２２５８２号公報
【考案の概要】
【考案が解決しようとする課題】
【０００４】
上記文献のエキス抽出器は、エキス含有蒸気の凝結と、該蒸気を凝結させた液体である凝結エキスの収集とを容器内でまとめて行うことができるため、利便性が高い一方で、導入管等の管状部材によって凝結面側に蒸気を導入する場合と比べ、該蒸気の流動等を所望の状態とすることが難しく、抽出効率が低下することがある。
【０００５】
本考案は、容器内で、エキスが含まれる蒸気を凝結させるとともに該凝結させた凝結エキスを収集するエキス抽出器であって、効率の良い抽出が可能なエキス抽出器を提供することを課題としている。
【課題を解決するための手段】
【０００６】
上記課題を解決するため、対象物３から抽出されたエキスを含有する蒸気が内部に供給される容器６を備え、容器６内に導入された上記蒸気が接触して凝結する凝結面６ａを、該容器６の内壁面の少なくとも一部に形成し、該凝結面６ａで凝結されて上記内壁面を沿って流下する凝結エキス５を受け止めて収集する収集部１８を容器６内に設けたエキス抽出器であって、前記容器６外から該容器６内に上記蒸気を導入させる導入部１３を該容器６自体に一体的に形成し、該導入部１３の少なくとも容器６内寄り部位を筒状に成形したことを特徴としている。
【０００７】
この他、前記容器６は、凹状の受皿７と、受皿７の上端部に載置されて該受皿７の上方側を覆う凸状の上蓋８とを含み、上蓋８の少なくとも天井面側に前記凝結面６ａを形成し、前記導入部１３の筒状部分１７を上下方向に形成し、該導入部１３を受皿７の底部１１の中央側に一体的に設け、該導入部１３の外周面と受皿７の内周面とに囲繞されたスペースを収集部１８としたものとしてもよい。
【０００８】
この他、導入部１３の下端部の径に対して上端部の径を小さく設定したものとしてもよい。
【０００９】
この他、環状の平断面を有する上蓋８下端部には、径方向内側に向かって延設された延設部２２が、全周に亘ってリング状に一体的に形成され、該延設部２２の延出端部を、上記導入部１３の筒状部分１７よりも径方向外側に位置させてなるものとしてもよい。
【００１０】
この他、延設部２２の延出端部を下方に曲げ形成することにより、延出端部側の凝結エキス５の落下を案内するガイド部２２ａを形成したものとしてもよい。
【００１１】
この他、前記上蓋８の天井部２１に、容器６の内外に連通させる貫通孔２１ａを穿設し、該貫通孔２１ａは、上記蒸気が導入可能であるとともに、下方側から導入された該蒸気を排出させることが可能なように構成されているものとしてもよい。
【００１２】
この他、前記貫通孔２１ａを閉塞するキャップ２７を着脱自在に装着したものとしてもよい。
【００１３】
この他、受皿７の上端部の内周径に対して、上蓋８の下端部の内周径を小さく設定するとともに、該下端部の外周径を大きく設定したものとしてもよい。
【００１４】
この他、凝結面６ａを凹凸形成することにより、凝結面６ａの面積を拡大させてなるものとしてもよい。
【００１５】
この他、容器６の壁部を凹凸形成することにより、前記凝結面６ａを凹凸形成するとともに、該容器６の外壁面を凹凸形成し、該凹凸形成された外壁面を放熱面６ｂとし、該放熱面６ｂによって空気との接触面積を増加させる放熱部２４を構成したものとしてもよい。
【考案の効果】
【００１６】
前記容器外から該容器内に上記蒸気を導入させる導入部を該容器自体に一体的に形成し、該導入部の少なくとも容器内寄り部位を筒状に成形しているため、この導入部の筒状部分の向きや長さを適切に設定すれば、所望の状態の蒸気を容器内の凝結面側に導入可能であるため、効率的な抽出を行うことができるとともに、該導入部は一体的に形成されているため、別途の部材も不要であり、部品点数も増加せず、コストを低く抑えることが可能である。
【００１７】
前記容器は、凹状の受皿と、受皿の上端部に載置されて該受皿の上方側を覆う凸状の上蓋とを含み、上蓋の少なくとも天井面側に前記凝結面を形成し、前記導入部の筒状部分を上下方向に形成し、該導入部を受皿の底部の中央側に一体的に設け、該導入部の外周面と受皿の内周面とに囲繞されたスペースを収集部としたものによれば、中央側に位置する導入部によって、上蓋の天井側に効率的に蒸気が導入され、該天井側に形成された凝結面によって順序凝結されるため、効率の良い抽出を行うことが可能になる。また、該導入部の外周面と受皿の内周面とに囲繞されたスペースを収集部としているので、空間を効率的に使用し、全体をコンパクト化できる。
【００１８】
導入部の下端部の径に対して上端部の径を小さく設定したものによれば、下端側から導入部内に効率的に蒸気が流入させることが可能になるとともに、導入部の上端側では、所定の方向に蒸気を勢いよく導入させることが容易になる。
【００１９】
環状の平断面を有する上蓋下端部には、径方向内側に向かって延設された延設部が、全周に亘ってリング状に一体的に形成され、該延設部の延出端部を、上記導入部の筒状部分よりも径方向外側に位置させてなるものによれば、より効率的に収集部に凝結エキスを収集させることが可能になる。
【００２０】
受皿の上端部の内周径に対して、上蓋の下端部の内周径を小さく設定するとともに、該下端部の外周径を大きく設定したものによれば、凝結エキスを上蓋から受蓋に確実の流動させることが可能になるとともに、受皿の上端に上蓋の下端を確実に載せることが容易になる。
【００２１】
凝結面を凹凸形成することにより、凝結面の面積を拡大させてなるものによれば、エキスを含有した蒸気を、より効率的に凝結させることが可能になる。
【００２２】
容器の壁部を凹凸形成することにより、前記凝結面を凹凸形成するとともに、該容器の外壁面を凹凸形成し、該凹凸形成された外壁面を放熱面とし、該放熱面によって空気との接触面積を増加させる放熱部を構成したものによれば、上記壁部の凹凸形成によって、凝結面積の拡大と放熱面積の拡大とを同時に実現できるため、メリットが大きい。
【図面の簡単な説明】
【００２３】
【図１】本考案のエキス抽出を適用したエキス抽出器の正面図である。
【図２】図１のエキス抽出器の要部正断面図である。
【図３】図１のエキス抽出器の要部平断面図である。
【図４】図１に示す上蓋の他の使用例を示す正断面図である。
【図５】エキス抽出器の他の実施形態を示す要部正断面図である。
【図６】（Ａ）はエキス蒸留器の他の実施形態を示す要部正断面図であり、（Ｂ）は（Ａ）のＢ−Ｂ断面図である。
【図７】エキス抽出器の他の実施形態を示す要部正断面図である。
【図８】エキス抽出器の他の実施形態を示す要部正断面図である。
【考案を実施するための形態】
【００２４】
図１は、本考案のエキス抽出を適用したエキス抽出器の正面図であり、図２は、図１のエキス抽出器の要部正断面図であり、図３は、図１のエキス抽出器の要部平断面図である。図示するエキス抽出器１は、エキスを含有した蒸気を発生させる蒸気発生器２の上端側に位置決め載置される。
【００２５】
蒸気発生器２は、下端が閉塞され且つ上端が開放された円錐台状の容器であり、具体的には、下端から上部寄り部分に向かって径が次第に縮小し、該上部寄り部分から上端に向かって径が次第に拡大している。
【００２６】
エキスを抽出するハーブ類等の植物である対象物３を水４と共に蒸気発生器１に導入して加熱する。この加熱によって、上記水４が沸騰すると、上記エキスを含有する蒸気が発生して上昇していく。このようにして上方側に流動する蒸気は、エキス抽出器１の下端側から該エキス抽出器１内に導入されて内部で凝結され、再び液体に戻される。このような蒸留作用によって得られる液体は、上記エキスが含まれた凝結エキス５である。
【００２７】
上記エキス抽出器１は、容器６を備えている（具体的には容器６のみからなる）。この容器６は、凹状（具体的には凹曲面状の外形を有する）受皿７と、該受皿７とは別体で形成された凸状（凸曲面状の外形を有する）上蓋８とから構成されている。この受皿７及び上蓋８は、共に耐酸性及び耐熱性を有する陶磁器やガラス等の部材によって構成されている。
【００２８】
上述の受皿７は、円状の平断面を有して下方に向かって縮径された側壁部９と、該側壁部９の下端に一体連接される底部１１と、該側壁部９の上端側から全周に亘って一体連接される環状の係止部１２と、該底部１１の中央側（中央寄り部分）に一体成形された上下方向の導入部１３と、該底部１１の下面側から下方に凸状に突出した環状の係合部１４とを一体で有している。
【００２９】
上記導入部１３は、該受皿１３の下端側から凸曲面状に上方に盛上ったドーム部１６と、ドーム部１６中心の頂点側から真上側に突出したスリーブ部（筒状部分）１７とを一体で有し、この導入部１３は容器６の内部に突出している。ドーム部１６は、上方に向かって次第に径が小さくなる円形平断面を有し、上端側が最小径になる。スリーブ部１７は、ドーム部１６の最小径と同一径に設定された上下方向に延びる円筒形状を有している。このため、導入部１３は、その下端側の径に対して、上端側の径が小さくなる。
【００３０】
この導入部１３の外周面と、側壁部９の内周面（受皿７の内周面）とによって、溝状のスペースが形成され、この溝状のスペースが凝結エキス５を収集する収集部１８となる。
【００３１】
上記係止部１２は、側壁部９の上端部の径よりも若干大きな径を有するように、該側壁部９の上端部から径方向外側に向かって斜め上方に突出形成されている。そして、側壁部９の上端部に、前記上蓋８の下端が載置された際に、この係止部１２は、該上蓋８の水平方向への移動を規制して、この上蓋８を受皿７上に係止させる。
【００３２】
上記係合部１４は、導入部１３のドーム部１６の下端側から連続的に下方に延出され、この円形リング状をなす係合部１４の径は、底部１１の径と同程度に設定されている。そして、この環状の係合部１４の外周が、蒸気発生器２の上部開放端側の内周に挿入されて係合される。この係合によってエキス抽出器１の蒸気発生器２に対する水平移動が規制されるため、このエキス抽出器１（具体的には受皿）を蒸気発生器２の上端側に安定的に載置支持させることができる。
【００３３】
上述の上蓋８は、上方に向かって径が次第に小さくなる側壁部１９と、該側壁部１９の上端側から一体連接された天井部２１と、側壁部１９の下端側から径方向内側に延設される延設部２２とを有している。また、この側壁部１９及び天井部２１の一方又は両方（図示する例では両方）の外壁面には複数の突起２３が凸状成形され、この複数の突起２３によって、空気との接触面積を増加させて空冷効率を高める放熱部２４が構成されている。
【００３４】
上記延設部２２は、側壁部１９の全周に亘って円形リング状に成形され、この径方向内側端（延設端部）は、導入部１３のスリーブ部１７の外周よりも径方向外側に位置している。また、この延設部２２の上記径方向の内側端部は、下方に曲げ形成（具体的には、屈曲形成）され、この曲げ部分がガイド部２２ａになる。このようにして延設部２２の径方向内側端部に一体成形されたガイド部２２ａは、延設部２２上の凝結エキス５を、収集部１８に落下案内する。
【００３５】
上記天井部２１の中心部には、該天井部２１を上下に貫通する貫通孔２１ａが穿設されている。この貫通孔２１ａには、キャップ２７が上方側から着脱自在に嵌合挿入されることにより、これによって該貫通孔２１ａは、閉塞される。
【００３６】
上記側壁部１９の内壁面の少なくとも天井部２１寄り部分（図示する例では、略全体）と、天井部２１の内壁面には、容器６内に導入されたエキス含有蒸気を、凝結させる凝結面６ａが形成されている。この容器６（具体的には上蓋８）の内壁面の略全体に形成された凝結面６ａによって凝結された液体である凝結エキス５は、側壁部１９の内壁面を伝って流下し、上蓋８の下端側まで案内され、延設部２２の上面側に受止められる。
【００３７】
上記放熱部２４は、多数の突起２３によって構成され、空気との接触面積を増加させている。
【００３８】
このエキス抽出器１を用いたエキスの蒸留抽出方法について以下に説明する。まず、上述した通り、対象物３を水４と共に蒸気発生器２に導入し、蒸気発生器２の上端側の開放端の内周側に、エキス抽出器１の受皿７の係合部１４を嵌合挿入して係合させ、該受皿７を、蒸気発生器２の上端側に位置決め載置するとともに、受皿７の係止部１２に上蓋８の下端外周面を係止させた状態で、該上蓋８を、受皿７の上端部に位置決め係止させる。
【００３９】
続いて、蒸気発生器２内の水４を加熱して沸騰させ、水に浸された対象物３のエキスが含有した蒸気を発生させる。発生した蒸気は上昇して、エキス抽出器１の下端側まで達する。この蒸気は、ドーム部１６内に導入され、その形状によって、スリーブ部１７までガイドされ、該スリーブ部１７内の蒸気は上端側から上蓋８内に流入される。
【００４０】
上蓋８内に流入した蒸気は、上昇及び拡散して、凝結面６ａに達し、効率的に凝結される。この際、蒸気から上蓋８に熱が伝導されるが、この熱は、放熱部２４から効率的に放熱され、上蓋８は、所定温度以下に保持される。言換えると、放熱部２４によって上蓋８は効率的に空冷され、所定温度以下に保持される。仮に、凝結の効率が妨げられる程に上蓋８が蒸気によって加熱された場合には、キャップ２７を上蓋８から取外すことによって、蒸気をエキス抽出器１外に排出させ、温度を下げることができる。
【００４１】
凝結面６ａで凝結された凝結エキス５は、上述した通り、延設部２２上まで流下する。延設部２２上の凝結エキス５は、ガイド部２２ａによって効率的に収集部１８内に落下案内され、この収集部１８に貯留される。蒸留によるエキス抽出が完了した後は、受皿７から上蓋８を取外して、受皿７に貯留された凝結エキス５を回収する。
【００４２】
以上のような工程を経ることによって、効率的にエキスを抽出することが可能になる。
【００４３】
図４は、図１に示す上蓋の他の使用例を示す正断面図である。前述した上蓋８を、上記受皿７とは別の受皿２８に適用した例について、示している。受皿２８は、有底筒状の容器であり、この受皿２８の上方側の開放端部の径は、上蓋８の下端部の最大径と、延設部２２の最小径との間で設定され、これによって、受皿２８の上記開放端部に上蓋８を安定的に載置することが可能になる。
【００４４】
また、この際、上蓋８に装着されたキャップ２７は取外され、貫通孔２１ａには、エキス含有蒸気を導入する導入ホース２８の先端部が挿脱自在に挿通される。そして、この導入ホース２８を介して、この蒸気が上蓋８に導入され、凝結面６ａで凝結され、液体となった凝結エキスは、延設部２２のガイド部２２ａ等のガイドによって、効率的に受皿２８内に収集されていく。このため、受皿２８の内周面及び底面によって、上述の収集部１８が形成される。ちなみに、この導入ホース２８の基端側は、対象物３が浸された水４が収容された図示しない容器の上部側に接続されている。そして、この容器内の水４を沸騰させることにより、導入ホース２８を介して、上蓋８内にエキス含有蒸気を送る。
【００４５】
次に、図５に基づき、エキス抽出器１の他の実施形態について上述と異なる部分を説明する。
【００４６】
図５は、エキス抽出器の他の実施形態を示す要部正断面図である。同図に示す例では、容器６の一部を構成する上蓋８の壁部（具体的には、側壁部１９及び天井部２１）の略全体に複数の凹凸部を形成することにより、上蓋８の内壁面側及び外壁面側を凹凸面とした。この上蓋８の内壁側の凹凸面が上述した凝結面６ａになる一方で、外壁側の凹凸面が空気との接触面積を拡大させる放熱面６ｂとなる。
【００４７】
この多数の凹凸が形成された放熱面６ｂによって、上述の放熱部２４を構成している。また、凝結面６ｂも凹凸面状に形成されるため、凝結させる部分の面積が拡大し、凝結率的が向上する。
【００４８】
なお、延設部２２は、ガイド部２２ａと共に、省略することもできる。この場合には、上蓋８の下端部内周面側から、受皿７側に直接的に凝結エキスが流下することになる。
【００４９】
次に、図６に基づき、エキス抽出器１の他の実施形態について上述と異なる部分を説明する。
【００５０】
図６（Ａ）はエキス蒸留器の他の実施形態を示す要部正断面図であり、（Ｂ）は（Ａ）のＢ−Ｂ断面図である。このエキス抽出器１の上下方向に長い容器６は全体が一体的に成形され、この容器６内の底側に収集部１８が形成されるとともに、該容器６の上端側に上方に突出する筒状の導入部１３が一体形成されている。
【００５１】
容器６の壁部の少なくとも一部（図示する例では、側壁部）は、上述の形態と同様に凹凸形成され、これによって、内壁面及び外壁面が凹凸面状に形成される。この内壁側の凹凸面が上述の凝結面６ａになるとともに、外壁側の凹凸面が上述の放熱面６ｂとなる。
【００５２】
また、全体が筒状に形成されて上方斜め方向に突出する導入部１３の下部には、蒸気を排出する排気口２９が開口形成されている。
【００５３】
この他、容器６の壁部の対向部分には、該対向部分の一方から他方に至って外部と連続する空洞部３１が形成され、この空洞部３１を形成する筒状の隔壁部３２は、空洞部３１と容器６内の空間とを隔てるように容器６の壁部から連続形成されている。このため、隔壁部３２における容器６内側の内壁面は、凝結面６ａになるとともに、空洞部３１側且つ容器６外側の外壁面は、放熱面６ｂになる。このような空洞部３１の形成によって、放熱面６ｂの面積と、凝結面６ａの面積とが増加するため、凝結効率が高まる。
【００５４】
具体的な蒸留抽出方法について説明すると、導入部１３内に上方側から導入ホース２８を挿通させ、この導入ホース２８の先端を、容器６の内部側の空間に臨ませる。そして、該導入ホース２８を介して、エキス含有蒸気を、容器６内に流入させ、凝結面６ａによって、凝結させるとともに、放熱面６ｂによって、放熱させる。凝結した凝結エキスは、容器６の内壁面を伝って、流下し、収集部１８の収集される。
【００５５】
次に、図７に基づき、エキス抽出器１の他の実施形態について上述と異なる部分を説明する。
【００５６】
図７は、エキス抽出器の他の実施形態を示す要部正断面図である。同図に示すエキス抽出器１は、図６に示すものと略同一構成の容器６と、該容器６と並列する上下方向の排出側容器３３を備えている。ただし、容器６からは、排出口２９は省かれ、この部分は塞がれている。
【００５７】
排出側容器３３の上端部には、導入部１３と同一又は略同一の筒状に成形されて上下方向に延びる排出部３４が一体成形されている。また、この排出側容器３３の下部が、連通部３６を介して、容器６と連通している。
【００５８】
このため、上述の導入ホース２８を導入部１３に挿入して、エキス含有蒸気を、容器６内に導入すると、該蒸気は、連通部３６を通過して、排出側容器３３に流動し、排出部３４が外部に排出される。このように流動する蒸気は、凝結面６ａに接触して、凝結される。
【００５９】
このように容器６とは別に排出側容器３３を設けたため、凝結させる部分や、放熱させる部分が増大して、凝結効率や放熱効率がさらに向上する。
【００６０】
次に、図８に基づき、エキス抽出器１の他の実施形態について上述と異なる部分を説明する。
【００６１】
図８は、エキス抽出器の他の実施形態を示す要部正断面図である。エキス抽出器１の容器６は、上方に突出する複数の筒状部３７を一体で有している。複数の筒状部３７から任意に選定された１つの筒状部３７を導入部１３として用い、残りの筒状部３７を排出部３４として用いる。この複数の筒状部３７によって、容器６の内壁面及び外壁面が凹凸形成され、容器６の凹凸形成された内壁面を凝結面６ａとし、外壁面を放熱面６ｂとする。
【００６２】
導入部１３に挿通された導入ホース２８によって、容器６内に導入されたエキス含有蒸気は、凹凸形成された凝結面６ａによって凝結されて凝結エキスとなり、この凝結エキスは、容器６の内壁面を伝って流下し、収集部１８に収集される。
【００６３】
このように導入または排出機能を有する複数の筒状部３７を一体成形することによって、容器６の壁部が凹凸形成されるため、別途、この容器６の壁部を凹凸形成する必要がなく、製造コストを低く抑えることが可能になる。
【符号の説明】
【００６４】
３  対象物（植物）
５  凝結エキス
６  容器
６ａ  凝結面
６ｂ  放熱面
７  受皿
８  上蓋
１１  底部
１３  導入部
１７  スリーブ部（筒状部分）
１８  収集部
２１ａ  貫通孔
２２  延設部
２２ａ  ガイド部
２４  放熱部
２７  キャップ
【図１】
0003184162.tif 000003
【図２】
0003184162.tif 000004
【図３】
0003184162.tif 000005
【図４】
0003184162.tif 000006
【図５】
0003184162.tif 000007
【図６】
0003184162.tif 000008
【図７】
0003184162.tif 000009
【図８】
0003184162.tif 000010